(57)【特許請求の範囲】
【請求項１】
複数の画素をマトリクス状に配列したパネルを備える表示装置であって、
予め設定された期間毎に、一画面分の画像データである画像フレームを外部から受信するデータ受信部と、
前記パネル上の前記複数の画素の各々に当該画素の輝度を設定し、前記画像フレームを前記パネルに表示させる駆動部と、
前記表示装置の表示モードを、前記表示装置に通常の表示を行わせる通常モードと、制限モードとを含む前記表示モードのいずれかに設定するモード設定部とを備え、
前記駆動部は、前記パネルにおいて行方向に配列された複数の前記画素を選択して、選択された前記複数の画素の各々に輝度を設定することにより前記画像フレームを前記パネルに表示させ、
前記制限モードにおいて、前記駆動部は、
前記画像フレームを表示する、前記パネルの隔行毎の各画素の輝度を、前記画像フレームを表示する、前記パネルの他の行に配列された各画素の輝度の取り得る範囲より狭い範囲内で当該画素の輝度データに応じた輝度に設定する
ことを特徴とする表示装置。
【請求項２】
複数の画素をマトリクス状に配列したパネルを備える表示装置であって、
予め設定された期間毎に、一画面分の画像データである画像フレームを外部から受信するデータ受信部と、
前記パネル上の前記複数の画素の各々に当該画素の輝度を設定し、前記画像フレームを前記パネルに表示させる駆動部と、
前記表示装置の表示モードを、前記表示装置に通常の表示を行わせる通常モードと、制限モードとを含む前記表示モードのいずれかに設定するモード設定部とを備え、
前記駆動部は、前記パネルにおいて行方向に配列された複数の前記画素を選択して、選択された前記複数の画素の各々に輝度を設定することにより前記画像フレームを前記パネルに表示させ、
前記制限モードにおいて、前記駆動部は、
前記画像フレームを表示する、前記パネルの隔列毎の各画素の輝度を、前記画像フレームを表示する、前記パネルの他の列に配列された各画素の輝度の取り得る範囲より狭い範囲内で当該画素の輝度データに応じた輝度に設定する
ことを特徴とする表示装置。
【請求項３】
複数の画素をマトリクス状に配列したパネルを備える表示装置であって、
予め設定された期間毎に、一画面分の画像データである画像フレームを外部から受信するデータ受信部と、
前記パネル上の前記複数の画素の各々に当該画素の輝度を設定し、前記画像フレームを前記パネルに表示させる駆動部と、
前記表示装置の表示モードを、前記表示装置に通常の表示を行わせる通常モードと、制限モードとを含む前記表示モードのいずれかに設定するモード設定部とを備え、
前記制限モードにおいて、前記駆動部は、
前記画像フレームを表示した、チェッカー状に位置する各画素の輝度を、他の画素の輝度の取り得る範囲より狭い範囲内で当該画素の輝度データに応じた輝度に設定する
ことを特徴とする表示装置。
【請求項４】
複数の前記画素の輝度データを前記表示装置に入力するデータ信号に同期して入力されるデータ転送クロックを受信するクロック受信部を更に備え、
前記モード設定部は、前記通常モードにおける前記データ転送クロックと比較し前記データ転送クロックの周波数が低いことを必要条件として、前記表示モードを前記制限モードに設定する
ことを特徴とする請求項１から３のいずれかに記載の表示装置。
【請求項５】
前記制限モードは、前記表示装置の消費電力を前記通常モードと比較し低減する低電力モードであることを特徴とする請求項４記載の表示装置。
【請求項６】
前記駆動部は、
前記パネル上の前記複数の画素の各々に、当該画素の輝度を設定する画素駆動電圧を供給し、
前記画素駆動電圧を用いて前記画素に加える電位差の極性を周期的に反転し、
前記制限モードにおいて、前記画素に加える前記電位差の極性が反転する周期を、前記通常モードと比較し長くすることを特徴とする請求項1から３のいずれかに記載の表示装置。
【請求項７】
画像データを格納する画像メモリを更に備え、
前記データ受信部は、前記画像メモリから前記画像フレームを受信し、
前記画像メモリが更新される頻度が予め設定された値より小さいことを必要条件として、前記モード設定部に、前記表示モードを前記制限モードに設定させる指示部と
を更に備えることを特徴とする請求項１から３のいずれかに記載の表示装置。
【請求項８】
複数の画素をマトリクス状に配列したパネルを備える表示装置による表示方法であって、
予め設定された期間毎に、一画面分の画像データである画像フレームを外部から受信するデータ受信段階と、
前記パネル上の前記複数の画素の各々に当該画素の輝度を設定し、前記画像フレームを前記パネルに表示させる駆動段階と、
前記表示装置の表示モードを、前記表示装置に通常の表示を行わせる通常モードと、制限モードとを含む前記表示モードのいずれかに設定するモード設定段階とを備え、
前記駆動段階は、前記パネルにおいて行方向に配列された複数の前記画素を選択して、選択された前記複数の画素の各々に輝度を設定することにより前記画像フレームを前記パネルに表示させ、
前記制限モードにおいて、前記駆動段階は、
前記画像フレームを表示する、前記パネルの隔行毎の各画素の輝度を、前記画像フレームを表示する、前記パネルの他の行に配列された各画素の輝度の取り得る範囲より狭い範囲内で当該画素の輝度データに応じた輝度に設定する
ことを特徴とする表示方法。
【請求項９】
複数の画素をマトリクス状に配列したパネルを備える表示装置による表示方法であって、
予め設定された期間毎に、一画面分の画像データである画像フレームを外部から受信するデータ受信段階と、
前記パネル上の前記複数の画素の各々に当該画素の輝度を設定し、前記画像フレームを前記パネルに表示させる駆動段階と、
前記表示装置の表示モードを、前記表示装置に通常の表示を行わせる通常モードと、制限モードとを含む前記表示モードのいずれかに設定するモード設定段階とを備え、
前記駆動段階は、前記パネルにおいて行方向に配列された複数の前記画素を選択して、選択された前記複数の画素の各々に輝度を設定することにより前記画像フレームを前記パネルに表示させ、
前記制限モードにおいて、前記駆動段階は、
前記画像フレームを表示する、前記パネルの隔列毎の各画素の輝度を、前記画像フレームを表示する、前記パネルの他の列に配列された各画素の輝度の取り得る範囲より狭い範囲内で当該画素の輝度データに応じた輝度に設定する
ことを特徴とする表示方法。
【請求項１０】
複数の画素をマトリクス状に配列したパネルを備える表示装置による表示方法であって、
予め設定された期間毎に、一画面分の画像データである画像フレームを外部から受信するデータ受信段階と、
前記パネル上の前記複数の画素の各々に当該画素の輝度を設定し、前記画像フレームを前記パネルに表示させる駆動段階と、
前記表示装置の表示モードを、前記表示装置に通常の表示を行わせる通常モードと、制限モードとを含む前記表示モードのいずれかに設定するモード設定段階とを備え、
前記制限モードにおいて、前記駆動段階は、
前記画像フレームを表示した、チェッカー状に位置する各画素の輝度を、他の画素の輝度の取り得る範囲より狭い範囲内で当該画素の輝度データに応じた輝度に設定することを特徴とする表示方法。
【請求項１１】
複数の前記画素の輝度データを前記表示装置に入力するデータ信号に同期して入力されるデータ転送クロックを受信するクロック受信段階を更に備え、
前記モード設定段階は、前記通常モードにおける前記データ転送クロックと比較し前記データ転送クロックの周波数が低いことを必要条件として、前記表示モードを前記制限モードに設定する
ことを特徴とする請求項８から１０のいずれかに記載の表示方法。
【請求項１２】
前記制限モードは、前記表示装置の消費電力を前記通常モードと比較し低減する低電力モードであることを特徴とする請求項１１記載の表示方法。
【請求項１３】
前記駆動段階は、
前記パネル上の前記複数の画素の各々に、当該画素の輝度を設定する画素駆動電圧を供給し、
前記画素駆動電圧を用いて前記画素に加える電位差の極性を周期的に反転し、
前記制限モードにおいて、前記画素に加える前記電位差の極性が反転する周期を、前記通常モードと比較し長くすることを特徴とする請求項８から１０のいずれかに記載の表示方法。
【請求項１４】
当該表示装置は、画像データを格納する画像メモリを備え、
前記画像メモリが更新される頻度が予め設定された値より小さいことを必要条件として、前記モード設定段階により、前記表示モードを前記制限モードに設定させる指示段階と
を更に備えることを特徴とする請求項８から１０のいずれかに記載の表示方法。
【請求項１５】
請求項４に記載の表示装置を制御する情報処理装置用のプログラムであって、
前記情報処理装置は、画像を構成する複数の前記画素の輝度データを前記表示装置に出力して、前記表示装置に前記画像を表示させ、
当該プログラムは、前記情報処理装置を、
前記表示装置の表示モードを、前記通常モードと前記制限モードとのいずれかに設定させ、前記表示装置の消費電力を前記通常モードと比較し低減させる場合において、前記情報処理装置が前記表示装置に対して前記輝度データを出力する周波数を、前記通常モードの場合と比較し低くして前記制限モードに設定させるモード設定モジュールとして機能させることを特徴とするプログラム。
【請求項１６】
請求項１から３のいずれかに記載の表示装置を制御する情報処理装置用のプログラムであって、
当該プログラムは、前記情報処理装置を、
画像データを格納し、前記データ受信部に対して画像フレームを出力する画像メモリと、
前記画像メモリが更新される頻度が予め設定された値より小さいことを必要条件として、前記モード設定部に、前記表示モードを前記制限モードに設定させる指示部と
して機能させることを特徴とするプログラム。
【発明の詳細な説明】
【０００１】
【発明の属する技術分野】
本発明は、表示装置、情報処理装置、表示方法、プログラム、及び記録媒体に関する。特に本発明は、画素をマトリクス状に配列したパネルを備える表示装置若しくは情報処理装置と、これらに関する表示方法、プログラム、若しくは記録媒体に関する。
【０００２】
【従来の技術】
表示装置の消費電力を低減し、又は表示装置の寿命を長くする技術は、例えば、特開平１０−３１４６４、特開平９−３３８８８、特開平５−３２３９０２、及び特開平１０−１２４００６に開示されている。
特開平１０−３１４６４は、面内スイッチング（ＩＰＳ）方式の液晶表示装置において、全画素に供給されるコモン線に印加する電位を高低２値用意し、各フレーム毎に反転させることで、行方向の画素に電圧を供給するスキャン線のドライバー及び列方向の画素に電圧を供給するデータドライバーの出力信号の電位変動を低減させ、消費電力を低減させる技術を開示する。
特開平９−３３８８８は、行方向の画素に電圧を供給するコモン電極の各々に選択電圧を印加する第１の駆動モードと、コモン電極を配列方向に沿ってグループ分けしたコモン電極群毎に選択電圧を印加する第２の駆動モードを備え、第２の駆動モードにより消費電力を低減させる液晶表示装置を開示する。
特開平５−３２３９０２は、列方向の画素に電圧を供給するデータライン駆動回路内に、外部信号の制御によって所定の法則に基づき表示データを変換する回路を備え、変換した表示データを用いて表示することにより長寿命化を図った液晶表示装置を開示する。
特開平１０−１２４００６は、ユーザが液晶表示装置のバイアス比を調整した場合に、コントラスト比が最適になる様に液晶駆動電圧をバイアス比に合わせて自動的に調整する携帯情報端末を開示する。
【０００３】
【発明が解決しようとする課題】
表示装置は、使用者に対して視覚的に情報を表示する装置であるため、省電力モード、又は長寿命化モード等の低電力モードにおいても、画面の見やすさと低電力のトレードオフを使用者が適切に設定可能であることが望ましい。
【０００４】
そこで本発明は、上記の課題を解決することのできる表示装置、情報処理装置、表示方法、プログラム、及び記録媒体を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、複数の画素をマトリクス状に配列したパネルを備える表示装置であって、予め設定された期間毎に、一画面分の画像データである画像フレームを外部から受信するデータ受信部と、前記パネル上の前記複数の画素の各々に当該画素の輝度を設定し、前記画像フレームを前記パネルに表示させる駆動部と、前記表示装置の表示モードを、前記表示装置に通常の表示を行わせる通常モードと、制限モードとを含む前記表示モードのいずれかに設定するモード設定部とを備え、前記駆動部は、前記パネルにおいて行方向に配列された複数の前記画素を選択して、選択された前記複数の画素の各々に輝度を設定することにより前記画像フレームを前記パネルに表示させ、前記制限モードにおいて、前記駆動部は、前記画像フレームを表示する、前記パネルの隔行毎の各画素の輝度を、前記画像フレームを表示する、前記パネルの他の行に配列された各画素の輝度の取り得る範囲より狭い範囲内で当該画素の輝度データに応じた輝度に設定することを特徴とする表示装置を提供する。
【０００６】
本発明の第２の形態によると、複数の画素をマトリクス状に配列したパネルを備える表示装置であって、予め設定された期間毎に、一画面分の画像データである画像フレームを外部から受信するデータ受信部と、前記パネル上の前記複数の画素の各々に当該画素の輝度を設定し、前記画像フレームを前記パネルに表示させる駆動部と、前記表示装置の表示モードを、前記表示装置に通常の表示を行わせる通常モードと、制限モードとを含む前記表示モードのいずれかに設定するモード設定部とを備え、前記駆動部は、前記パネルにおいて行方向に配列された複数の前記画素を選択して、選択された前記複数の画素の各々に輝度を設定することにより前記画像フレームを前記パネルに表示させ、前記制限モードにおいて、前記駆動部は、前記画像フレームを表示する、前記パネルの隔列毎の各画素の輝度を、前記画像フレームを表示する、前記パネルの他の列に配列された各画素の輝度の取り得る範囲より狭い範囲内で当該画素の輝度データに応じた輝度に設定することを特徴とする表示装置を提供する。
【０００７】
本発明の第３の形態によると、複数の画素をマトリクス状に配列したパネルを備える表示装置であって、予め設定された期間毎に、一画面分の画像データである画像フレームを外部から受信するデータ受信部と、前記パネル上の前記複数の画素の各々に当該画素の輝度を設定し、前記画像フレームを前記パネルに表示させる駆動部と、前記表示装置の表示モードを、前記表示装置に通常の表示を行わせる通常モードと、制限モードとを含む前記表示モードのいずれかに設定するモード設定部とを備え、前記制限モードにおいて、前記駆動部は、前記画像フレームを表示した、チェッカー状に位置する各画素の輝度を、他の画素の輝度の取り得る範囲より狭い範囲内で当該画素の輝度データに応じた輝度に設定することを特徴とする表示装置を提供する。
【０００８】
複数の前記画素の輝度データを前記表示装置に入力するデータ信号に同期して入力されるデータ転送クロックを受信するクロック受信部を更に備え、前記モード設定部は、前記通常モードにおける前記データ転送クロックと比較し前記データ転送クロックの周波数が低いことを必要条件として、前記表示モードを前記制限モードに設定してもよい。
【０００９】
前記制限モードは、前記表示装置の消費電力を前記通常モードと比較し低減する低電力モードであってもよい。
【００１０】
前記駆動部は、前記パネル上の前記複数の画素の各々に、当該画素の輝度を設定する画素駆動電圧を供給し、前記画素駆動電圧を用いて前記画素に加える電位差の極性を周期的に反転し、前記制限モードにおいて、前記画素に加える前記電位差の極性が反転する周期を、前記通常モードと比較し長くしてもよい。
【００１１】
画像データを格納する画像メモリを更に備え、前記データ受信部は、前記画像メモリから前記画像フレームを受信し、前記画像メモリが更新される頻度が予め設定された値より小さいことを必要条件として、前記モード設定部に、前記表示モードを前記制限モードに設定させる指示部とを更に備えてもよい。
【００１２】
本発明の第４の形態によると、上記表示装置による表示方法を提供する。
【００１３】
本発明の第５の形態によると、表示装置を制御する情報処理装置用のプログラムであって、前記情報処理装置は、画像を構成する複数の前記画素の輝度データを前記表示装置に出力して、前記表示装置に前記画像を表示させ、当該プログラムは、前記情報処理装置を、前記表示装置の表示モードを、前記通常モードと前記制限モードとのいずれかに設定させ、前記表示装置の消費電力を前記通常モードと比較し低減させる場合において、前記情報処理装置が前記表示装置に対して前記輝度データを出力する周波数を、前記通常モードの場合と比較し低くして前記制限モードに設定させるモード設定モジュールとして機能させることを特徴とするプログラムを提供する。
【００１４】
本発明の第６の形態によると、表示装置を制御する情報処理装置用のプログラムであって、当該プログラムは、前記情報処理装置を、画像データを格納し、前記データ受信部に対して画像フレームを出力する画像メモリと、前記画像メモリが更新される頻度が予め設定された値より小さいことを必要条件として、前記モード設定部に、前記表示モードを前記制限モードに設定させる指示部として機能させることを特徴とするプログラムを提供する。
【００１７】
なお上記の発明の概要は、本発明の必要な特徴の全てを列挙したものではなく、これらの特徴群のサブコンビネーションも又発明となりうる。
【００１８】
【発明の実施の形態】
以下、発明の実施形態を通じて本発明を説明するが、実施形態はクレームにかかる発明を限定するものではなく、また実施形態の中で説明されている特徴の組み合わせの全てが発明の解決手段に必須であるとは限らない。
【００１９】
図１は、本実施形態に係る情報処理装置１００の構成を示す。本実施形態に係る情報処理装置１００は、ＣＰＵ１１０、ＲＯＭ１１５、ＲＡＭ１２０、通信インターフェイス１２５、ハードディスクドライブ１３０、フロッピーディスクドライブ１３５、ＣＤ−ＲＯＭドライブ１４０、入力装置１４５、出力装置１５０、システム制御回路１５５、及び入出力バス１６０を備える。
【００２０】
ＣＰＵ１１０は、ＲＯＭ１１５及びＲＡＭ１２０に格納されたプログラムに基づいて動作し、各部の制御を行う。通信インターフェイス１２５は、ネットワークを介して他の装置と通信する。ハードディスクドライブ１３０は、情報処理装置１００が使用するプログラム及びデータを格納し、情報処理装置１００の使用者の指示に基づきプログラムをＲＡＭ１２０に提供する。フロッピーディスクドライブ１３５は、フロッピーディスク１６５からプログラム又はデータを読み取りＲＡＭ１２０等に提供する。ＣＤ−ＲＯＭドライブ１４０は、ＣＤ−ＲＯＭ１７０からプログラム又はデータを読み取りＲＡＭ１２０等に提供する。入力装置１４５は、情報処理装置１００の使用者からの指示を入力する。出力装置１５０は、情報処理装置１００上で動作するプログラムの指示に基づき、文字及び／又は図形を含む画像を使用者に対して表示する。システム制御回路１５５は、ＣＰＵ１１０、ＲＯＭ１１５、ＲＡＭ１２０、通信インターフェイス１２５、ハードディスクドライブ１３０、フロッピーディスクドライブ１３５、ＣＤ−ＲＯＭドライブ１４０、入力装置１４５、及び出力装置１５０を相互に接続する。入出力バス１６０は、システム制御回路１５５と、通信インターフェイス１２５、ハードディスクドライブ１３０、フロッピーディスクドライブ１３５、ＣＤ−ＲＯＭドライブ１４０、入力装置１４５、及び出力装置１５０とを接続する。
【００２１】
ハードディスクドライブ１３０は、ＣＰＵ１１０上で動作させるプログラムである表示制御プログラム１８０を格納する。表示制御プログラム１８０は、使用者又は情報処理装置１００上で動作するオペレーティングシステムによって起動され、出力装置１５０内の表示装置を制御する。表示制御プログラム１８０は、モード設定モジュール１８５と、指示モジュール１９０と、画像変換モジュール１９５とを含む。これらのモジュールは、情報処理装置１００を、情報処理装置１００におけるモード設定部、指示部、及び画像変換部として動作させるプログラムである。モード設定モジュール１８５は、出力装置１５０内の表示装置の表示モードを、通常の表示を行わせる通常モードと、表示装置の省電力化及び長寿命化等を目的とした低電力モードのいずれかに設定させる。低電力モードは、本発明に係る制限モードの一例である。指示モジュール１９０は、予め設定された条件が成立した場合に、モード設定モジュール１８５に、表示モードを低電力モードに設定する様指示する。指示モジュール１９０は、例えば入力装置１４５を監視し、使用者からの入力が一定の期間行われなかったことを検出したことを必要条件として、出力装置１５０を低電力モードに移行させてもよい。画像変換モジュール１９５は、出力装置１５０内の表示装置の表示モードが低電力モードに設定された場合に、出力装置１５０内の表示装置がより低電力で動作できるように、出力装置１５０内の表示装置が表示する画像を必要に応じて変換する。
【００２２】
表示制御プログラム１８０は、フロッピーディスク１６５又はＣＤ−ＲＯＭ１７０等の記録媒体に格納されて利用者によって提供される。表示制御プログラム１８０は、記録媒体から読み出され、フロッピーディスクドライブ１３５又はＣＤ−ＲＯＭドライブ１４０を介して情報処理装置１００にインストールされ、情報処理装置１００において実行される。
【００２３】
以上に示したプログラム又はモジュールは、外部の記憶媒体に格納されてもよい。記憶媒体としては、フロッピーディスク１６５、ＣＤ−ＲＯＭ１７０の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムを情報処理装置１００に提供してもよい。
【００２４】
図２は、本実施形態に係る出力装置１５０の構成を示す。本実施形態に係る出力装置１５０は、表示装置２００、制御回路２１０、及び画像メモリ２２０を有する。
表示装置２００は、情報処理装置１００上で動作するプログラムの指示に基づき、文字及び／又は図形を含む画像を使用者に対して表示する。
制御回路２１０は、表示装置２００と、画像データにおける各画素の輝度を示す輝度データを格納する画像メモリ２２０とを制御し、画像データの格納処理、画像データの出力処理、及び表示モードの設定処理を行う。
画像データの格納処理において、制御回路２１０は、画像を構成するデータをシステム制御回路１５５経由でＣＰＵ１１０から受信し、画面上の各画素の輝度を含む画像データとして画像メモリ２２０に格納する。この処理において、制御回路２１０は、画像を構成する矩形や点等のオブジェクトについての情報をＣＰＵ１１０から受信し、受信した情報から各画素の輝度を算出してもよい。あるいは、制御回路２１０は、ＣＰＵ１１０から直接画像メモリ２２０上のアドレス及び書込みデータを受信し、画像メモリ２２０内の当該アドレスに当該書込みデータを格納してもよい。
【００２５】
画像データの出力処理において、制御回路２１０は、画像データを構成する各画素の輝度データを、画像メモリ２２０から読み出して表示装置２００に順次送信する。ここで、制御回路２１０は、輝度データの送信において、各画素の輝度データを表示装置２００に出力するデータ信号に同期して、データ転送クロックを表示装置２００に出力する。
【００２６】
表示モードの設定処理において、制御回路２１０は、ＣＰＵ１１０上で動作するモード設定モジュール１８５の設定に基づき、表示装置２００の表示モードを通常モード又は低電力モードのいずれかに設定する。表示装置２００の表示モードを低電力モードに設定する場合、制御回路２１０は、低電力モードへの移行を指示するスクリーンセーブ信号を表示装置２００へ出力するか、画像データを表示装置２００に出力する周期を長く設定するかの少なくとも一方の処理を行う。ここで、画像データを表示装置２００に出力する周期を長く設定する場合、制御回路２１０は、各画素の輝度データを表示装置２００に送信するのに要する時間を長く設定し、データ転送クロックの周波数を低下させる。
【００２７】
次に、表示装置２００の構成を説明する。本実施形態に係る表示装置２００は、パネル２３０、信号受信部２３５、データ受信部２８５、クロック受信部２８０、タイミング制御部２９０、モード設定部２４０、電圧供給部２５０、及び駆動部２５５を有する。
【００２８】
パネル２３０は、画素をマトリクス状に配列したパネルである。本実施形態に係るパネル２３０は、画素に加えられた電位差に基づき当該画素の輝度を設定する液晶パネルであって、画素に電位差を加えない場合に当該画素が黒を表示するノーマリブラック型のパネルである。パネル２３０は、例えば、ＡＦＬＣ方式、ＭＩＭ素子を用いる方式、ＴＦＴ素子によるＯＣＢモード、ＩＰＳモード、若しくはＭＶＡモードを用いる方式等の各種方式を用いた液晶パネルであってよい。また、パネル２３０は、画素に加えられた電位差に基づき当該画素の輝度を設定する、液晶パネル以外の表示用のパネルであってもよい。更に、パネル２３０は、画素に電位差を加えない場合に当該画素が白を表示するノーマリホワイト型のパネルであってもよい。
【００２９】
信号受信部２３５は、使用者からの入力が一定の期間行われなかったことを必要条件として出力されるスクリーンセーブ信号を、出力装置１５０内の制御回路２１０から受信する。データ受信部２８５は、画像データを構成する各画素の輝度データを、制御回路２１０からのデータ信号として受信する。クロック受信部２８０は、輝度データを入力するデータ信号に同期して入力されるデータ転送クロックを受信する。タイミング制御部２９０は、クロック受信部２８０が受信したデータ転送クロックに基づき、ゲートドライバ２６０及びソースドライバ２７０を駆動させるためのタイミング信号を、それぞれゲートドライバ２６０及びソースドライバ２７０に出力する。また、タイミング制御部２９０は、タイミング信号に同期して、輝度データをソースドライバ２７０に出力する。
【００３０】
モード設定部２４０は、信号受信部２３５がスクリーンセーブ信号を受信した場合、及び／又はクロック受信部２８０が通常モードと比較し低い周波数のデータ転送クロックを受信した場合に、表示装置２００の表示モードを低電力モードに設定する。一方、モード設定部２４０は、低電力モードに設定させる条件が成立しない場合、表示装置２００の表示モードを通常モードに設定する。
モード設定部２４０は、表示装置２００の表示モードとして、モード１〜モード６の６種類のモードを設定する。モード１は、表示装置２００に通常の表示を行わせる表示モードである。モード２〜６は、表示装置２００に低電力表示を行わせる表示モードである。低電力モードのうち、モード２は、低駆動電圧表示モードである。低駆動電圧表示モードにおいて、モード設定部２４０は、通常モードと比較しパネル２３０の画素の輝度の範囲を制限させる駆動電圧を、電圧供給部２５０からソースドライバ２７０に供給させる。モード設定部２４０は、低電力モードの設定時に、情報処理装置１００の使用者の設定、及び／又は表示制御用のプログラムの指示に基づき、低電力モードである５種類の表示モードのいずれかを選択する。
【００３１】
電圧供給部２５０は、駆動部２５５を駆動するために用いる電圧を供給する。また、電圧供給部２５０は、駆動部２５５内のソースドライバ２７０がパネル２３０に供給する電圧の基準電圧である駆動電圧を、モード設定部２４０が設定した表示モードに対応して変更する。
駆動部２５５は、画像データに基づきパネル２３０を駆動し、パネル２３０に画像データを表示させる。駆動部２５５は、ゲートドライバ２６０とソースドライバ２７０とを含む。ゲートドライバ２６０は、パネル２３０において行方向に配列された複数の画素に、選択信号を供給する。ソースドライバ２７０は、ゲートドライバ２６０の選択信号により選択された複数の画素の各々に、当該画素の輝度を指定する輝度データと、電圧供給部２５０からの駆動電圧とに基づいて生成した画素駆動電圧を供給する。
【００３２】
図３は、本実施形態に係るパネル２３０の構成を示す。本実施形態に係るパネル２３０は、スイッチング素子３００と画素３１０とを含む画素を行方向及び列方向に配列した構成をとる。
【００３３】
スイッチング素子３００は、ゲートドライバ２６０からの選択信号ＶＧｙ（ただし、ｙ＝０，１，…，ｍ）が高電位（Ｈレベル）の場合にスイッチをオンとする。スイッチング素子３００がスイッチをオンとすると、当該画素の画素３１０に、画素駆動電圧ＶＤｘ（ただし、ｘ＝０，１，…，ｎ）が供給される。
画素３１０は、供給された画素駆動電圧ＶＤｘと、共通電圧Ｖｃｏｍとの電位差に基づき当該画素の輝度を設定する。画素３１０は、スイッチング素子３００が再びオフとなったときに、供給された画素駆動電圧ＶＤｘを維持するコンデンサとしての機能も備える。
【００３４】
ゲートドライバ２６０及びソースドライバ２７０は、次に示す動作を行い、一画面分の画像データである画像フレームをパネル２３０上に表示させる。まず、ソースドライバ２７０は、制御回路２１０から１行分の輝度データを受信する。次に、ゲートドライバ２６０は、当該行（ｙ行目とする）に配列された複数の画素の選択信号ＶＧｙに、Ｈレベルを供給する。これを受けて、ｙ行目に配列された複数の画素のスイッチング素子３００は、スイッチをオンとする。次に、ソースドライバ２７０は、選択信号により選択された複数の画素の各々に、当該画素に対応する画素駆動電圧ＶＤｘ（ｘ列目の場合）を供給する。これにより、ｙ行目に配列された複数の画素の画素３１０に、対応するＶＤ０〜ＶＤｎが供給される。その後、ゲートドライバ２６０が、ｙ行目に配列された複数の画素の選択信号ＶＧｙに、低電位（Ｌレベル）を供給する。これを受けて、ｙ行目に配列された複数の画素のスイッチング素子３００は、スイッチをオフとする。これにより、ｙ行目の各画素は、当該画素に対して供給されたＶＤ０〜ＶＤｎを維持する。以上に示した動作により、ゲートドライバ２６０及びソースドライバ２７０は、ｙ行目に配列された複数の画素に輝度を設定することができる。
次に、ゲートドライバ２６０及びソースドライバ２７０は、上記と同様にしてｙ＋１行目の画素の輝度を設定する。この動作を一画面分の全ての行に対して行うことで、表示装置２００は、一画面分の画像データを表示することができる。
【００３５】
本実施形態において、パネル２３０は、説明の便宜上、各画素を８階調で表示することを前提とする。また、表示装置２００がデータ信号を介して制御回路２１０から受信する輝度データは、０から７迄の整数値のいずれかであるものとする。なお、本実施形態に係る表示装置２００は、８階調以外の階調数でパネル２３０に表示を行うものであってもよい。
また、パネル２３０は、行方向及び列方向を用いて駆動されるが、本実施形態に係る行及び列は、使用者に表示する画像の上下左右とは無関係であってよい。例えば、情報処理装置１００は、画像の上下方向がパネル２３０の列方向と一致する様に画像をパネル２３０に表示させてもよいし、画像の左右方向がパネル２３０の列方向と一致する様に画像をパネル２３０に表示させてもよい。
【００３６】
図４は、本実施形態に係るソースドライバ２７０の構成を示す。本実施形態に係るソースドライバ２７０は、シフトレジスタ４００、サンプリングメモリ４１０ａ〜ｃ、保持メモリ４２０ａ〜ｃ、交流化回路４２３、交流化回路４２６、変圧回路４３０、変圧回路４４０、及び出力回路４５０ａ〜ｃを含む。
【００３７】
シフトレジスタ４００は、タイミング制御部２９０からスタート信号及びデータ転送クロックを含むタイミング信号をタイミング制御部２９０から受信する。ここで、スタート信号は、１行分の画素に関する輝度データをソースドライバ２７０に送出するための開始タイミングを、Ｈレベルを用いて指定する。シフトレジスタ４００は、これらのタイミング信号を用いて、データ信号から第０列目の輝度データを受信している場合にサンプリングメモリ４１０ａにクロックｃｋを出力し、データ信号から第１列目の輝度データを受信している場合にサンプリングメモリ４１０ｂにクロックｃｋを出力し、以下同様に、データ信号から最終列の輝度データを受信している場合にサンプリングメモリ４１０ｃにクロックｃｋを出力する。
サンプリングメモリ４１０ａ〜ｃは、シフトレジスタ４００からクロックｃｋが入力された場合に、データ信号上の輝度データを格納する。そして、サンプリングメモリ４１０ａ〜ｃは、格納した輝度データを、対応する保持メモリ４２０ａ〜ｃに出力する。これにより、タイミング制御部２９０から１行分の画素に関する輝度データの受信を終了した時点で、サンプリングメモリ４１０ａ〜ｃは、それぞれ対応する位置の画素に関する輝度データを出力する。
【００３８】
保持メモリ４２０ａ〜ｃは、タイミング制御部２９０から入力するライン表示信号がＨレベルとなった場合、対応するサンプリングメモリ４１０ａ〜ｃが出力する輝度データを格納する。そして、保持メモリ４２０ａ〜ｃは、格納した輝度データを、対応する出力回路４５０ａ〜ｃに出力する。ここで、タイミング制御部２９０は、１行分の画素に関する輝度データの送信を終了した時点で、ライン表示信号にＨレベルを出力する。これにより、ソースドライバ２７０が１行分の画素に関する輝度データを受信した後に、保持メモリ４２０ａ〜ｃは、ライン表示信号の入力に同期して１行分の画素に関する輝度データを出力する。
交流化回路４２３は、パネル２３０における偶数列の各画素に加える電圧の正負を交互に反転させるために、駆動電圧ＶＡをＶｃｏｍに対して交互に反転させた交流化駆動電圧ＶＡ’を生成する。同様に、交流化回路４２６は、パネル２３０における奇数列の各画素に加える電圧の正負を交互に反転させるために、駆動電圧ＶＢをＶｃｏｍに対して交互に反転させた交流化駆動電圧ＶＢ’を生成する。交流化回路４２３及び交流化回路４２６は、それぞれＶＡ及びＶＢの交流化の周期を、電圧供給部２５０から受信し設定する。
【００３９】
変圧回路４３０は、交流化回路４２３から入力された交流化駆動電圧ＶＡ’を基準電圧として、パネル２３０に供給する画素駆動電圧ＶＡ０〜ＶＡ７を生成する。ここで、ＶＡ０〜ＶＡ７は、輝度データ値０〜７に対応する画素駆動電圧である。同様に、変圧回路４４０は、電圧供給部２５０から入力された交流化駆動電圧ＶＢ’を基準電圧として、パネル２３０に供給する画素駆動電圧ＶＢ０〜ＶＢ７を生成する。
【００４０】
出力回路４５０ａ〜ｃは、対応する保持メモリ４２０ａ〜ｃから入力された輝度データに対応して、画素駆動電圧ＶＡ０〜７又は画素駆動電圧ＶＢ０〜７を選択し、ＶＤ０〜ｎに供給する。ここで、偶数列に対応する出力回路４５０ａ等の出力回路は、画素駆動電圧を、ＶＡ０〜７から選択する。一方、奇数列に対応する出力回路４５０ｂ及び出力回路４５０ｃ等の出力回路は、画素駆動電圧を、ＶＢ０〜７から選択する。
【００４１】
図５は、本実施形態に係る画素３１０に加える電位差と、輝度の関係を示すグラフである。図５のグラフにおいて、横軸は画素３１０に加える電位差を、縦軸は画素３１０の輝度を示す。
【００４２】
図５中の実線は、画素に電位差を加えない場合に黒表示を行うノーマリブラック型における電位差と輝度の関係を示すグラフである。
【００４３】
ノーマリブラック型（実線）においては、画素に加える電位差がＶｌｏｗ２以下の場合に黒表示となり、画素に加える電位差がＶｈｉｇｈ以上の場合に白表示となる。そして、ノーマリブラック型の表示装置は、画素駆動電圧によって画素に加えられる電位差が小さくなるにつれて、画素の輝度が小さくなる。
表示装置２００に通常の表示を行わせる通常モードにおいて、電圧供給部２５０は、ＶＡ及びＶＢをＶｈｉｇｈに設定する。この場合、ソースドライバ２７０は、通常モードにおいて、電位差がＶｌｏｗ２〜Ｖｈｉｇｈの範囲である画素駆動電圧をパネル２３０に出力する。
一方、表示装置２００の消費電力を通常モードと比較し低減させる低駆動電圧表示モードにおいて、電圧供給部２５０は、ＶＡ及び／又はＶＢを、Ｖｌｏｗ１に設定する。この場合、ソースドライバ２７０は、電位差がＶｌｏｗ２〜Ｖｌｏｗ１の範囲である画素駆動電圧をパネル２３０に出力する。電圧供給部２５０は、駆動電圧ＶＡ及び／又はＶＢをＶｌｏｗ１に設定することにより、低駆動電圧表示モードに対応する駆動電圧ＶＡ及び／又はＶＢを、通常モードにおける画素の最大輝度と比較し小さくなるように設定することができる。また、電圧供給部２５０は、駆動電圧ＶＡ及び／又はＶＢをＶｌｏｗ１に設定することにより、パネル２３０の画素に加える電位差の幅を小さくすると共に、パネル２３０の駆動に用いる電圧を低くすることができ、表示装置２００の消費電力を通常モードと比較し低減させることができる。
【００４４】
図５中の破線は、画素に電位差を加えない場合に白表示を行うノーマリホワイト型における電位差と輝度の関係を示すグラフである。
【００４５】
ノーマリホワイト型（破線）においては、画素に加える電位差がＶＷｈｉｇｈの場合に黒表示となり、画素に加える電位差がＶＷｌｏｗ２の場合に白表示となる。そして、ノーマリホワイト型の表示装置は、画素駆動電圧が低下するにつれて、画素の輝度が大きくなる。
表示装置２００に通常の表示を行わせる通常モードにおいて、電圧供給部２５０は、ＶＡ及びＶＢをＶＷｌｏｗ２に設定する。この場合、ソースドライバ２７０は、通常モードにおいて、電位差がＶＷｈｉｇｈ〜ＶＷｌｏｗ２の範囲である画素駆動電圧をパネル２３０に出力する。
一方、表示装置２００の消費電力を通常モードと比較し低減させる低電力モードにおいて、電圧供給部２５０は、ＶＡ及び／又はＶＢを、ＶＷｌｏｗ１に設定してもよい。この場合、ソースドライバ２７０は、電位差がＶＷｈｉｇｈ〜ＶＷｌｏｗ１の範囲である画素駆動電圧をパネル２３０に出力する。電圧供給部２５０は、駆動電圧ＶＡ及び／又はＶＢをＶＷｌｏｗ１に設定することにより、低電力モードに対応する駆動電圧ＶＡ及び／又はＶＢを、通常モードにおける画素の最大輝度と比較し小さくなるように設定することができる。また、電圧供給部２５０は、駆動電圧ＶＡ及び／又はＶＢをＶＷｌｏｗ１に設定することにより、パネル２３０の画素に加える電位差の幅を小さくすることができ、例えば、交流化回路４２３及び／又は交流化回路４２６の交流化の周期を長くする等の方法と併用して、表示装置２００の消費電力を通常モードと比較し低減させることができる。
【００４６】
図６は、本実施形態に係るモード設定部２４０が設定する表示モードを表形式により示す。本実施形態に係るモード設定部２４０は、図６に示したモード１〜モード６の表示モードを備える。ここで、モード１は通常モードであり、モード２〜モード６は、それぞれ種類が異なる低電力モードである。図６は、モード１〜モード６の表示モードのそれぞれについて、表示装置２００が１画面を表示するサイクル毎に交流化回路４２３及び交流化回路４２６が出力する交流化駆動電圧ＶＡ’及びＶＢ’の遷移を示す。
【００４７】
（１）通常モード（モード１）
通常モードにおいて、電圧供給部２５０は、駆動電圧ＶＡ及びＶＢにＶｈｉｇｈを供給する。これを受けて、交流化回路４２３及び交流化回路４２６は、ＶＡ’及びＶＢ’を、１画面を表示する度にＶｈｉｇｈ又は−Ｖｈｉｇｈに交互に設定する。
【００４８】
（２）低駆動電圧表示モード（モード２）
低駆動電圧表示モードにおいて、電圧供給部２５０は、駆動電圧ＶＡ及びＶＢにＶｌｏｗ１を設定する。これを受けて、交流化回路４２３及び交流化回路４２６は、ＶＡ’及びＶＢ’を、１画面を表示する度にＶｌｏｗ１又は−Ｖｌｏｗ１に交互に設定する。これにより、低駆動電圧表示モードにおいては、図５に示した様に、通常モードと比較し全ての画素の輝度の範囲が制限される。具体的には、通常モードにおいては、画素の電位差がＶｈｉｇｈの場合に最大輝度となって白表示となるが、低駆動電圧表示モードにおいては、画素の電位差がＶｌｏｗ１の場合に最大輝度となり、通常モードと比較し輝度が小さい灰色系の表示となる。一方、パネル２３０は、低駆動電圧表示モードの場合においても、通常モードにおける輝度データ値と輝度の大小関係を保って表示を行うことができる。
【００４９】
（３）隔行表示モード（モード３）
隔行表示モードは、サイクル１及び２は奇数行、サイクル３及び４は偶数行の画素を黒表示とする表示モードである。すなわち、隔行表示モードの場合、電圧供給部２５０は、サイクル１及びサイクル２において、奇数行の駆動電圧ＶＡ及びＶＢをＶｌｏｗ２に設定する。また、電圧供給部２５０は、サイクル３及びサイクル４において、偶数行の駆動電圧ＶＡ及びＶＢをＶｌｏｗ２に設定する。これにより、駆動部２５５は、１画面の画像フレームを表示する、パネル２３０の偶数行に配列された複数の画素についての輝度の取り得る範囲が、当該画像フレームを表示する、パネル２３０の奇数行に配列された複数の画素についての輝度の取り得る範囲と異なる様に設定する。また、本実施形態に係る隔行表示モードにおいて、電圧供給部２５０は、１画面の画像フレームを表示する、パネル２３０の偶数行又は奇数行に配列された複数の画素についての輝度を、予め設定された輝度である黒に設定する。
【００５０】
（４）隔列表示モード（モード４）
隔列表示モードは、サイクル１及び２は奇数列、サイクル３及び４は偶数列の画素を黒表示とする表示モードである。すなわち、隔列表示モードの場合、電圧供給部２５０は、サイクル１及びサイクル２において、駆動電圧ＶＢをＶｌｏｗ２に設定する。また、電圧供給部２５０は、サイクル３及びサイクル４において、駆動電圧ＶＡをＶｌｏｗ２に設定する。これにより、駆動部２５５は、１画面の画像フレームを表示する、パネル２３０の偶数列に配列された複数の画素についての輝度の取り得る範囲が、当該画像フレームを表示する、パネル２３０の奇数列に配列された複数の画素についての輝度の取り得る範囲と異なる様に設定する。また、本実施形態に係る隔列表示モードにおいて、電圧供給部２５０は、１画面の画像フレームを表示する、パネル２３０の偶数列又は奇数列に配列された複数の画素についての輝度を、予め設定された輝度である黒に設定する。
【００５１】
（５）チェッカ表示モード（モード５）
チェッカ表示モードは、サイクル１及び２は偶数行奇数列及び奇数行偶数列、サイクル３及び４は奇数行奇数列及び偶数行偶数列の画素を黒表示とする表示モードである。すなわち、チェッカ表示モードの場合、電圧供給部２５０は、サイクル１及びサイクル２において、偶数行の駆動電圧ＶＢ及び奇数行の駆動電圧ＶＡをＶｌｏｗ２に設定する。また、電圧供給部２５０は、サイクル３及びサイクル４において、偶数行の駆動電圧ＶＡ及び奇数行の駆動電圧ＶＢをＶｌｏｗ２に設定する。これにより、駆動部２５５は、１画面の画像フレームを表示する、パネル２３０の偶数行奇数列及び奇数行偶数列に配列された複数の画素についての輝度の取り得る範囲が、当該画像フレームを表示する、パネル２３０の奇数行奇数列及び偶数行偶数列に配列された複数の画素についての輝度の取り得る範囲と異なる様に設定する。また、本実施形態に係る隔列表示モードにおいて、電圧供給部２５０は、１画面の画像フレームを表示する、パネル２３０の偶数行奇数列と奇数行偶数列、又は奇数行奇数列と偶数行偶数列に配列された複数の画素についての輝度を、予め設定された輝度である黒に設定する。
【００５２】
（６）反転周期変更表示モード（モード６）
反転周期変更表示モードにおいて、電圧供給部２５０は、ソースドライバ２７０内の交流化回路４２３及び交流化回路４２６が生成する交流化駆動電圧ＶＡ’及びＶＢ’の周期を変更する。すなわち、反転周期変更表示モードの場合、交流化回路４２３及び交流化回路４２６は、電圧供給部２５０の指示に基づき、サイクル１及びサイクル２における交流化駆動電圧ＶＡ’及びＶＢ’をＶｈｉｇｈに、サイクル３及びサイクル４における交流化駆動電圧ＶＡ’及びＶＢ’を−Ｖｈｉｇｈに設定する。これにより、反転周期変更表示モードにおいて、駆動部２５５は、画素に加える電位差の極性が反転する周期を、通常モードと比較し２倍の長さに設定できる。
【００５３】
本実施形態に係る表示装置２００は、以上に示した低電力モードを複数組み合わせた表示モードを更に備えてもよい。すなわち例えば、表示装置２００は、低駆動電圧表示モードと反転周期変更表示モードの組み合わせ等の表示モードを更に備えてもよい。
【００５４】
図７は、本実施形態に係る画素３１０に加える電位差を、表示モード毎に示すグラフである。図７において、横軸は時間を、縦軸はパネル２３０内の特定の画素３１０における電位差を示す。
【００５５】
通常モード（モード１）の場合、特定の画素３１０における電位は、１画面の表示毎に、Ｖｈｉｇｈ又は−Ｖｈｉｇｈに設定される。
【００５６】
低駆動電圧表示モード（モード２）の場合、特定の画素３１０における電位は、１画面の表示毎に、Ｖｌｏｗ１又は−Ｖｌｏｗ１に設定される。この様に、低駆動電圧表示モードにおいて、電圧供給部２５０は、パネル２３０の画素に加える電位差の幅を小さくすると共に、パネル２３０の駆動に用いる電圧を低くすることができる。従って、低駆動電圧表示モードにより、表示装置２００は、表示装置２００の消費電力を通常モードと比較し低減させることができる。
なお、表示装置２００は、情報処理装置１００の使用者又は情報処理装置１００上で動作させる表示制御用のプログラムの指示に基づき、Ｖｌｏｗ１を０以上Ｖｈｉｇｈ以下の任意の値に設定してもよい。これにより、情報処理装置１００の使用者等は、画面の見やすさと低電力のトレードオフを適切に設定することができる。
【００５７】
隔行表示モード（モード３）、隔列表示モード（モード４）、及びチェッカ表示モード（モード５）の場合、特定の画素３１０における電位は、サイクル１がＶｈｉｇｈに、サイクル２が−Ｖｈｉｇｈに、サイクル３及び４が０（又はＶｌｏｗ２）に設定される。この様に、モード３〜５において、電圧供給部２５０は、パネル２３０の一部の画素に加える電位差の幅を小さくすると共に、パネル２３０の一部の画素の駆動に用いる電圧を低くすることができる。従って、モード３〜５により、表示装置２００は、表示装置２００の消費電力を通常モードと比較し低減させることができる。
なお、表示装置２００は、情報処理装置１００の使用者又は情報処理装置１００上で動作させる表示制御用のプログラムの指示に基づき、一部の画素に対する画素駆動電圧ＶＡ及び／又はＶＢを、例えばＶｌｏｗ１に設定してもよい。この場合、表示装置２００は、Ｖｌｏｗ１を０以上Ｖｈｉｇｈ以下の任意の値に設定してもよい。これにより、情報処理装置１００の使用者等は、画面の見やすさと低電力のトレードオフを適切に設定することができる。
また、表示装置２００は、情報処理装置１００の使用者又は情報処理装置１００上で動作させる表示制御用のプログラムの指示に基づき、黒表示を行う行の比率を、全体の３／４、１／２、１／４等の値に設定可能としてもよい。
【００５８】
反転周期変更表示モード（モード６）の場合、特定の画素３１０における電位は、サイクル１及び２がＶｈｉｇｈに、サイクル３及び４が−Ｖｈｉｇｈに設定される。反転周期変更表示モードにおいて、駆動部２５５は、画素に加える電位差の極性が反転する周期を、通常モードと比較し２倍の長さに設定できる。従って、各画素の電位差の変更量を約１／２に低減することができ、表示装置２００の消費電力を通常モードと比較し低減することができる。
また、表示装置２００は、情報処理装置１００の使用者又は情報処理装置１００上で動作させる表示制御用のプログラムの指示に基づき、画素に加える電位差の極性が反転する周期を、変更可能としてもよい。
【００５９】
図８は、本実施形態に係る情報処理装置１００上で動作させる、表示制御プログラム１８０の処理フローを示す。
まず、情報処理装置１００上で動作する指示モジュール１９０は、表示装置２００の表示モードを通常モードに設定する（Ｓ８００）。ここで、表示装置２００の表示モードが低電力モードである場合、指示モジュール１９０は、表示モードを通常モードに設定する様モード設定モジュール１８５に指示する。そして、モード設定モジュール１８５は、指示モジュール１９０からの指示に基づき表示モードを通常モードに設定する。すなわち、モード設定モジュール１８５は、制御回路２１０に対して、表示装置２００の表示モードを通常モードに設定させる様指示する。制御回路２１０は、スクリーンセーブ信号を用いてスクリーンセーブを行わないことを表示装置２００へ出力するか、又は画像データを表示装置２００に出力する周期を、低電力モードと比較し短く設定するかのいずれかを行い、表示装置２００に通常モードを設定させる。
【００６０】
次に、情報処理装置１００上で動作する指示モジュール１９０は、表示装置２００を低電力モードに設定する条件が成立しているかどうかを検出する（Ｓ８１０）。ここで、指示モジュール１９０は、情報処理装置１００に、情報処理装置１００の使用者からの入力が一定の期間行われなかった場合や、情報処理装置１００内のＣＰＵ１１０等が画像メモリ２２０を更新する頻度が、予め設定された値より小さい場合等に、表示装置２００を低電力モードに設定する条件が成立していると判断する。
【００６１】
表示装置２００を低電力モードに設定する条件が成立していない場合、指示モジュール１９０は、処理をＳ８００に進め、通常モードの画面表示を継続させる（Ｓ８２０）。
【００６２】
表示装置２００を低電力モードに設定する条件が成立している場合、指示モジュール１９０は、表示モードを低電力モードに設定する様モード設定モジュール１８５に指示する（Ｓ８３０）。そして、モード設定モジュール１８５は、指示モジュール１９０からの指示に基づき表示モードを低電力モードに設定する。すなわち、モード設定モジュール１８５は、制御回路２１０に対して、表示装置２００の表示モードを低電力モードに設定させる様指示する。制御回路２１０は、スクリーンセーブ信号を用いてスクリーンセーブを行うことを表示装置２００へ出力するか、又は画像データを表示装置２００に出力する周期を、通常モードと比較し長く設定するかのいずれかを行い、表示装置２００に低電力モードを設定させる。
【００６３】
次に、画像変換モジュール１９５は、必要に応じて、表示装置２００がより低電力で動作できるように、表示装置２００が表示する画像を変換する（Ｓ８４０）。例えば、表示装置２００が隔行表示モード（モード３）、隔列表示モード（モード４）、及びチェッカ表示モード（モード５）を備えない場合、画像変換モジュール１９５は、画像メモリ２２０内に格納された画像が、これらの表示モードによりパネル２３０上に表示される画像と略同一となる様画像メモリ２２０内の画像データを変換する。すなわち、画像変換モジュール１９５は、表示装置２００に表示させる画像を構成する画素の一部についての輝度の取り得る範囲を、画像を構成する他の一部についての輝度の取り得る範囲と異なるように変換する。Ｓ８４０の処理の後、表示制御プログラム１８０は、処理をＳ８１０に進める。
【００６４】
図９は、本実施形態の変形例に係る表示装置２００の構成を示す。本実施形態の変形例に係る表示装置２００は、パネル２３１と、信号受信部２３５と、データ受信部２８５と、クロック受信部２８０と、タイミング制御部２９０と、モード設定部２４０と、電流供給部２５１と、ゲートドライバ２６０及びソースドライバ２７１を含む駆動部２５５とを有する。ここで、本実施形態の変形例における信号受信部２３５、データ受信部２８５、クロック受信部２８０、タイミング制御部２９０、モード設定部２４０、及びゲートドライバ２６０は、図２に示した本実施の形態に係る表示装置２００における対応する部材と略同一であるため、説明を省略する。
【００６５】
パネル２３１は、画素をマトリクス状に配列したパネルである。本実施形態の変形例に係るパネル２３１は、画素に加えられた電流に基づき当該画素の輝度を設定するパネルであって、画素に電流を加えない場合に当該画素が黒を表示するノーマリブラック型のパネルを中心に説明を行う。パネル２３１は、例えば、無機ＥＬや、有機ＥＬ等を用いた、画素に加えられた電流に基づき輝度を設定するパネルであってよい。
【００６６】
電流供給部２５１は、駆動部２５５を駆動するために用いる電圧を供給する。また、電流供給部２５１は、駆動部２５５内のソースドライバ２７１がパネル２３０に供給する電流の基準電流である駆動電流を、モード設定部２４０が設定した表示モードに対応して変更する。
駆動部２５５は、画像データに基づきパネル２３１を駆動し、パネル２３１に画像データを表示させる。駆動部２５５は、ゲートドライバ２６０とソースドライバ２７１とを含む。ゲートドライバ２６０は、パネル２３１において行方向に配列された複数の画素に、選択信号を供給する。ソースドライバ２７１は、ゲートドライバ２６０の選択信号により選択された複数の画素の各々に、当該画素の輝度を指定する輝度データと、電流供給部２５１からの駆動電流とに基づいて生成した画素駆動電流を供給する。
【００６７】
以上に示した通り、本実施形態に係る表示装置２００によれば、表示装置２００の表示モードに対応して、ソースドライバ２７０に供給する駆動電圧を変更することができる。これにより、通常モードと比較して表示装置２００の消費電力を抑え、及び／又は表示装置２００の寿命を長くする低電力モードを実現できる。また、表示装置２００は、ソースドライバ２７０に供給する駆動電圧を、使用者の好みに応じた値に設定することができる。これにより、使用者は、画面の見やすさと低電力のトレードオフに基づき、表示装置２００の低電力モードを適切に設定することができる。
【００６８】
また、本実施形態に係る情報処理装置１００及び表示装置２００によれば、データ転送クロックの周波数に応じて表示装置２００の表示モードを設定することができる。これにより、情報処理装置１００は、表示装置２００がデータ転送クロックの周波数に応じた低電力モードを有さない場合においても、表示装置２００上に一画面を表示する間隔を長くして、表示装置２００の消費電力を抑え、寿命を長くすることができる。また、表示装置２００は、一般のディスプレイ等の表示装置が備えるインターフェイスと同一のものを用いて、表示モードの設定の指示を受けることができる。
【００６９】
更に、本実施形態に係る情報処理装置１００及び／又は表示装置２００によれば、情報処理装置１００の使用者からの入力が一定期間行われなかった場合に、通常モードと比較し画素の輝度の範囲を制限する低電力モードを表示装置２００に設定することができる。これにより、情報処理装置１００の使用者が情報処理装置１００の操作を行っていない間表示装置２００を低電力モードとすることができ、表示装置２００の消費電力を抑え、寿命を長くすることができる。
【００７０】
更に、本実施形態に係る情報処理装置１００及び／又は表示装置２００によれば、情報処理装置１００の使用者からの入力が一定期間行われなかった場合に、通常モードと比較し画素の輝度の範囲を制限する低電力モードを表示装置２００に設定することができる。これにより、情報処理装置１００の使用者が情報処理装置１００の操作を行っていない間表示装置２００を低電力モードとすることができ、表示装置２００の消費電力を抑え、寿命を長くすることができる。
【００７１】
更に、本実施形態に係る情報処理装置１００及び／又は表示装置２００によれば、情報処理装置１００が画像メモリ２２０を更新する頻度が予め設定された値より小さい場合に、通常モードと比較し画素の輝度の範囲を制限する低電力モードを表示装置２００に設定することができる。これにより、情報処理装置１００の使用者が情報処理装置１００の操作を行っていない間表示装置２００を低電力モードとすることができ、表示装置２００の消費電力を抑え、寿命を長くすることができる。
【００７２】
更に、本実施形態に係る情報処理装置１００及び／又は表示装置２００によれば、低電力モードにおいてパネル２３０に表示する画像に関して、画素の一部についての輝度の取り得る範囲を、画素の他の一部についての輝度の取り得る範囲と異なる様に設定する。これにより、パネル２３０の一部の画素の駆動に用いる電圧を低くすることができ、表示装置２００の消費電力を抑え、寿命を長くすることができる。
【００７３】
更に、本実施形態に係る表示装置２００によれば、低電力モードにおいてパネル２３０の各画素に加える電位差の極性を反転する周期を、通常モードと比較し長くすることができる。これにより、パネル２３０の各画素における電圧変動の周期を長くすることができ、表示装置２００の消費電力を抑え、寿命を長くすることができる。
【００７４】
更に、本実施形態の変形例に係る表示装置２００によれば、表示装置２００の表示モードに対応して、ソースドライバ２７１に供給する駆動電流を変更することができる。これにより、通常モードと比較して表示装置２００の消費電力を抑え、及び／又は表示装置２００の寿命を長くする低電力モードを実現できる。また、表示装置２００は、ソースドライバ２７１に供給する駆動電流を、使用者の好みに応じた値に設定することができる。これにより、使用者は、画面の見やすさと低電力のトレードオフに基づき、表示装置２００の低電力モードを適切に設定することができる。
【００７５】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００７６】
例えば、本実施形態に係る表示装置２００に代えて、表示装置２００は、情報処理装置１００内のＣＰＵ１１０、ＲＯＭ１１５、ＲＡＭ１２０、通信インターフェイス１２５、ハードディスクドライブ１３０、フロッピーディスクドライブ１３５、ＣＤ−ＲＯＭドライブ１４０、入力装置１４５、及び出力装置１５０の一部又は全部を更に含む計算機又は端末等であってもよい。
【００７７】
以上に説明した実施形態によれば、以下の各項目に示す表示装置、情報処理装置、表示方法、プログラム、及び記録媒体が実現される。
（項目１）  画素をマトリクス状に配列したパネルを備える表示装置であって、前記表示装置の表示モードを、複数の前記表示モードのいずれかに設定するモード設定部と、前記パネルに供給する電圧の基準電圧である駆動電圧を、前記モード設定部が設定した前記表示モードに対応して変更する電圧供給部と、前記パネルにおいて行方向に配列された複数の前記画素に選択信号を供給するゲートドライバと、前記選択信号により選択された前記複数の画素の各々に、当該画素の輝度を指定する輝度データと、前記駆動電圧とに基づいて生成した画素駆動電圧を供給するソースドライバとを備えることを特徴とする表示装置。
（項目２）  前記表示装置は、前記画素駆動電圧によって前記画素に加えられる電位差が小さくなるにつれて、前記画素の輝度が小さくなるノーマリブラック型の表示装置であることを特徴とする項目１記載の表示装置。
（項目３）  複数の前記画素の輝度データを前記表示装置に入力するデータ信号に同期して入力されるデータ転送クロックを受信するクロック受信部を更に備え、前記モード設定部は、前記表示装置の前記表示モードを、前記表示装置に通常の表示を行わせる通常モードと、前記通常モードと比較し前記画素の輝度の範囲を制限させる前記駆動電圧を、前記電圧供給部から供給させる制限モードとを含む前記表示モードのいずれかに設定し、前記通常モードにおける前記データ転送クロックと比較し前記データ転送クロックの周波数が低いことを必要条件として、前記表示モードを前記制限モードに設定することを特徴とする項目１記載の表示装置。
（項目４）  前記制限モードは、前記表示装置の消費電力を前記通常モードと比較し低減する低電力モードであることを特徴とする項目３記載の表示装置。
【００７８】
（項目５）  前記表示装置に表示する画面を生成する情報処理装置に、使用者からの入力が一定の期間行われなかったことを必要条件として出力されるスクリーンセーブ信号を受信する信号受信部を更に備え、前記モード設定部は、前記表示装置の前記表示モードを、前記表示装置に通常の表示を行わせる通常モードと、前記通常モードと比較し前記画素の輝度の範囲を制限させる前記駆動電圧を、前記電圧供給部から供給させる制限モードとを含む前記表示モードのいずれかに設定し、前記スクリーンセーブ信号を受信した場合に、前記表示装置の前記表示モードを、前記制限モードに設定することを特徴とする項目１記載の表示装置。
（項目６）  前記制限モードは、前記表示装置の消費電力を前記通常モードと比較し低減する低電力モードであることを特徴とする項目５記載の表示装置。
（項目７）  前記モード設定部は、前記表示装置の前記表示モードを、前記表示装置に通常の表示を行わせる通常モードと、前記表示装置の消費電力を前記通常モードと比較し低減させる低電力モードとを含む前記表示モードを含む前記表示モードのいずれかに設定し、前記電圧供給部は、前記低電力モードに対応する前記駆動電圧を、前記低電力モードにおける前記画素の最大輝度が、前記通常モードにおける前記画素の最大輝度と比較し小さくなるように設定することを特徴とする項目１記載の表示装置。
【００７９】
（項目８）  複数の画素をマトリクス状に配列したパネルを備える表示装置であって、予め設定された期間毎に、一画面分の画像データである画像フレームを外部から受信するデータ受信部と、前記パネル上の前記複数の画素の各々に当該画素の輝度を設定し、前記画像フレームを前記パネルに表示させる駆動部と、前記表示装置の表示モードを、前記表示装置に通常の表示を行わせる通常モードと、制限モードとを含む前記表示モードのいずれかに設定するモード設定部とを備え、前記制限モードにおいて、前記駆動部は、前記画像フレームを表示した前記画素の一部についての前記輝度の取り得る範囲が、前記画像フレームを表示した前記画素の他の一部についての前記輝度の取り得る範囲と異なるように設定することを特徴とする表示装置。
（項目９）  前記駆動部は、前記パネルにおいて行方向に配列された複数の前記画素を選択して、選択された前記複数の画素の各々に輝度を設定することにより前記画像フレームを前記パネルに表示させ、前記制限モードにおいて、前記駆動部は、前記画像フレームを表示する、前記パネルの第１の行に配列された複数の前記画素についての前記輝度の取り得る範囲が、前記画像フレームを表示する、前記パネルの第２の行に配列された複数の前記画素についての前記輝度の取り得る範囲と異なるように設定することを特徴とする項目８記載の表示装置。
（項目１０）  前記駆動部は、前記パネルにおいて行方向に配列された複数の前記画素を選択して、選択された前記複数の画素の各々に輝度を設定することにより前記画像フレームを前記パネルに表示させ、前記制限モードにおいて、前記駆動部は、前記画像フレームを表示する、前記パネルの第１の列に配列された複数の前記画素についての前記輝度の取り得る範囲が、前記画像フレームを表示する、前記パネルの第２の列に配列された複数の前記画素についての前記輝度の取り得る範囲と異なるように設定することを特徴とする項目８記載の表示装置。
（項目１１）  前記制限モードにおいて、前記駆動部は、前記画像フレームを表示する前記画素の一部についての前記輝度を、予め定められた輝度に設定することを特徴とする項目８記載の表示装置。
【００８０】
（項目１２）  複数の画素をマトリクス状に配列したパネルを備える表示装置であって、前記パネル上の前記複数の画素の各々に、当該画素の輝度を設定する画素駆動電圧を供給する駆動部と、前記表示装置の表示モードを、前記表示装置に通常の表示を行わせる通常モードと、制限モードとを含む前記表示モードのいずれかに設定するモード設定部とを備え、前記駆動部は、前記画素駆動電圧を用いて前記画素に加える電位差の極性を周期的に反転し、前記制限モードにおいて、前記駆動部は、前記画素に加える前記電位差の極性が反転する周期を、前記通常モードと比較し長くすることを特徴とする表示装置。
（項目１３）  画素をマトリクス状に配列したパネルを備える表示装置であって、前記表示装置の表示モードを、複数の前記表示モードのいずれかに設定するモード設定部と、前記パネルに供給する電流の基準電流である駆動電流を、前記モード設定部が設定した前記表示モードに対応して変更する電流供給部と、前記パネルにおいて行方向に配列された複数の前記画素に選択信号を供給するゲートドライバと、前記選択信号により選択された前記複数の画素の各々に、当該画素の輝度を指定する輝度データと、前記駆動電流とに基づいて生成した画素駆動電流を供給するソースドライバとを備えることを特徴とする表示装置。
（項目１４）  （項目２の電流版：有機ＥＬ対応）
前記表示装置は、前記画素駆動電流が低下するにつれて、前記画素の輝度が小さくなるノーマリブラック型の表示装置であることを特徴とする項目１記載の表示装置。
【００８１】
（項目１５）  画素をマトリクス状に配列したパネルを備える情報処理装置であって、前記パネルの表示モードを、前記パネルに通常の表示を行わせる通常モードと、前記通常モードと比較し前記画素の輝度の範囲を制限させる制限モードとを含む前記表示モードのいずれかに設定するモード設定部と、使用者からの入力が一定の期間行われなかったことを必要条件として、前記モード設定部に、前記表示モードを前記制限モードに設定させる指示部と、前記パネルに供給する電圧の基準電圧である駆動電圧を供給し、前記制限モードが設定された場合に前記通常モードと比較し前記画素の輝度の範囲を制限させる前記駆動電圧を供給する電圧供給部と、前記パネルにおいて行方向に配列された複数の前記画素に選択信号を供給するゲートドライバと、前記選択信号により選択された前記複数の画素の各々に、当該画素の輝度を指定する輝度データと、前記駆動電圧とに基づいて生成した画素駆動電圧を供給するソースドライバとを備えることを特徴とする情報処理装置。
（項目１６）  画素をマトリクス状に配列したパネルを備える情報処理装置であって、前記パネルの表示モードを、前記パネルに通常の表示を行わせる通常モードと、前記通常モードと比較し前記画素の輝度の範囲を制限させる制限モードとを含む前記表示モードのいずれかに設定するモード設定部と、前記情報処理装置が前記画像メモリを更新する頻度が予め設定された値より小さいことを必要条件として、前記モード設定部に、前記表示モードを前記制限モードに設定させる指示部と、前記パネルに供給する電圧の基準電圧である駆動電圧を供給し、前記制限モードが設定された場合に前記通常モードと比較し前記画素の輝度の範囲を制限させる前記駆動電圧を供給する電圧供給部と、前記パネルにおいて行方向に配列された複数の前記画素に選択信号を供給するゲートドライバと、前記選択信号により選択された前記複数の画素の各々に、当該画素の輝度を指定する輝度データと、前記駆動電圧とに基づいて生成した画素駆動電圧を供給するソースドライバとを備えることを特徴とする情報処理装置。
【００８２】
（項目１７）  画素をマトリクス状に配列したパネルと、前記パネルに供給する電圧の基準電圧である駆動電圧を供給する電圧供給部と、前記パネルにおいて行方向に配列された複数の前記画素に選択信号を供給するゲートドライバと、前記選択信号により選択された前記複数の画素の各々に、当該画素の輝度を指定する輝度データと、前記駆動電圧とに基づいて生成した画素駆動電圧を供給するソースドライバとを備える表示装置を制御する表示方法であって、前記表示装置の表示モードを、複数の前記表示モードのいずれかに設定し、前記駆動電圧を、設定した前記表示モードに対応して変更することを特徴とする表示方法。
（項目１８）  前記表示装置は、前記画素駆動電圧によって前記画素に加えられた電位差が小さくなるにつれて、前記画素の輝度が小さくなるノーマリブラック型の表示装置であることを特徴とする項目１８記載の表示方法。
【００８３】
（項目１９）  複数の画素をマトリクス状に配列したパネルを備える表示装置を制御する情報処理装置用のプログラムであって、前記情報処理装置は、画像を構成する複数の前記画素の輝度データを前記表示装置に出力して、前記表示装置に前記画像を表示させ、当該プログラムは、前記情報処理装置に、前記表示装置の表示モードを、前記表示装置に通常の表示を行わせる通常モードと、前記表示装置の消費電力を前記通常モードと比較し低減させる低電力モードのいずれかに設定させ、前記低電力モードにおいて、前記情報処理装置が前記表示装置に対して前記輝度データを出力する周波数を、前記通常モードの場合と比較し低くさせるモード設定モジュールを備えることを特徴とするプログラム。
（項目２０）  複数の画素をマトリクス状に配列したパネルを備える表示装置を制御する情報処理装置用のプログラムを記録した記録媒体であって、前記情報処理装置は、画像を構成する複数の前記画素の輝度データを前記表示装置に出力して、前記表示装置に前記画像を表示させ、前記プログラムは、前記情報処理装置に、前記表示装置の表示モードを、前記表示装置に通常の表示を行わせる通常モードと、前記表示装置の消費電力を前記通常モードと比較し低減させる低電力モードのいずれかに設定させ、前記低電力モードにおいて、前記情報処理装置が前記表示装置に対して前記輝度データを出力する周波数を、前記通常モードの場合と比較し低くさせるモード設定モジュールを備えることを特徴とする記録媒体。
【００８４】
（項目２１）  複数の画素をマトリクス状に配列したパネルを備える表示装置を制御するプログラムであって、前記表示装置に、前記表示装置の表示モードを、前記表示装置に通常の表示を行わせる通常モードと、制限モードとを含む前記表示モードのいずれかに設定させるモード設定モジュールと、前記表示モードが前記制限モードに設定された場合に、前記表示装置に表示させる画像を構成する前記画素の一部についての輝度の取り得る範囲を、前記画像を構成する前記画素の他の一部についての輝度の取り得る範囲と異なるように変換させる画像変換モジュールとを備えることを特徴とするプログラム。
（項目２２）  複数の画素をマトリクス状に配列したパネルを備える表示装置を制御するプログラムを記録した記録媒体であって、前記プログラムは、前記表示装置に、前記表示装置の表示モードを、前記表示装置に通常の表示を行わせる通常モードと、制限モードとを含む前記表示モードのいずれかに設定させるモード設定モジュールと、前記表示モードが前記制限モードに設定された場合に、前記表示装置に表示させる画像を構成する前記画素の一部についての輝度の取り得る範囲を、前記画像を構成する前記画素の他の一部についての輝度の取り得る範囲と異なるように変換させる画像変換モジュールとを備えることを特徴とする記録媒体。
【００８５】
【発明の効果】
上記説明から明らかなように、本発明によれば省電力モード、又は長寿命化モード等の低電力モードにおいても、画面の見やすさと低電力のトレードオフをユーザが適切に設定可能な情報処理装置及び／又は表示装置を提供することができる。
【図面の簡単な説明】
【図１】  本発明の実施形態に係る情報処理装置１００の構成を示す。
【図２】  本発明の実施形態に係る出力装置１５０の構成を示す。
【図３】  本発明の実施形態に係るパネル２３０の構成を示す。
【図４】  本発明の実施形態に係るソースドライバ２７０の構成を示す。
【図５】  本発明の実施形態に係る画素３１０に加える電位差と、輝度の関係を示すグラフである。
【図６】  本発明の実施形態に係るモード設定部２４０が設定する表示モードを表形式により示す。
【図７】  本発明の実施形態に係る画素３１０に加える電位差を、表示モード毎に示すグラフである。
【図８】  本発明の実施形態に係る情報処理装置１００上で動作させる、表示制御プログラム１８０の処理フローを示す。
【図９】  本発明の実施形態の変形例に係る表示装置２００の構成を示す。
【符号の説明】
１００  情報処理装置
１１０  ＣＰＵ
１１５  ＲＯＭ
１２０  ＲＡＭ
１２５  通信インターフェイス
１３０  ハードディスクドライブ
１３５  フロッピーディスクドライブ
１４０  ＣＤ−ＲＯＭドライブ
１４５  入力装置
１５０  出力装置
１５５  システム制御回路
１６０  入出力バス
１６５  フロッピーディスク
１７０  ＣＤ−ＲＯＭ
１８０  表示制御プログラム
１８５  モード設定モジュール
１９０  指示モジュール
１９５  画像変換モジュール
２００  表示装置
２１０  制御回路
２２０  画像メモリ
２３０  パネル
２３１  パネル
２３５  信号受信部
２４０  モード設定部
２５０  電圧供給部
２５１  電流供給部
２５５  駆動部
２６０  ゲートドライバ
２７０  ソースドライバ
２７１  ソースドライバ
２８０  クロック受信部
２８５  データ受信部
２９０  タイミング制御部
３００  スイッチング素子
３１０  画素
４００  シフトレジスタ
４１０ａ〜ｃ  サンプリングメモリ
４２０ａ〜ｃ  保持メモリ
４２３  交流化回路
４２６  交流化回路
４３０  変圧回路
４４０  変圧回路
４５０ａ〜ｃ  出力回路
【図１】
0003836721.tif 000002
【図２】
0003836721.tif 000003
【図３】
0003836721.tif 000004
【図４】
0003836721.tif 000005
【図５】
0003836721.tif 000006
【図６】
0003836721.tif 000007
【図７】
0003836721.tif 000008
【図８】
0003836721.tif 000009
【図９】
0003836721.tif 000010